(57)【要約】【課題】  簡単な構造で結露を防止することができ表示部が曇らない炊飯器を提供する。【解決手段】  表示装置１８を備える表示部１３と、送風機１０とを有し、表示部１３の内部空間２０と、送風機１０の吸気側とが連通するように通気路２３を設けた炊飯器。【選択図】図２
2005198963.tif 000002
【特許請求の範囲】
【請求項１】
表示装置を備える表示部と、送風機とを有し、
前記表示部の内部空間と、前記送風機の吸気側とが連通するように通気路を設けたことを特徴とする炊飯器。
【請求項２】
前記内部空間は、前記表示装置と、該表示装置の上部の透明なパネルプレートとの間に挟まれた空間であって、
外装であるパネルに設けた壁部が、前記表示装置と前記パネルプレートとの隙間を埋めて前記内部空間を周囲から隔離しており、
前記通気路は、前記壁部を切り欠くことにより形成されていることを特徴とする請求項１に記載の炊飯器。
【請求項３】
前記送風機は、本体および／または該本体に内蔵された電気回路を空冷する冷却ファンであることを特徴とする請求項１または２に記載の炊飯器。
【請求項４】
前記表示部は、前記本体に設けられていることを特徴とする請求項１から３のいずれかに記載の炊飯器。
【発明の詳細な説明】
【技術分野】
【０００１】
本発明は、炊飯器に関する。
【背景技術】
【０００２】
近年の炊飯器は、多機能化が進み、機能選択や動作の状態を表示するために表示部を有している。このような表示部は、透明なパネルプレートの下に液晶板などの表示装置を備え、パネルプレートと表示装置との間には内部空間が存在する。この内部空間に水分が侵入すると、パネルプレートの裏側に結露してパネルプレートが曇るため、表示装置の表示が視認できなくなる。しかし、一般的な樹脂成型品で構成する炊飯器の内部空間を、水がまったく浸入しないように完全な密閉構造にすることは難しい。
【０００３】
パネルプレートの結露を防止する方法として、特許文献１には、内部空間に吸湿剤を封入する方法が開示されているが、吸湿剤の吸湿量には限りがあり、長期にわたり効果を維持することはできない。また、特許文献２には、パネルプレートの裏側に界面活性剤を塗布する方法が開示されているが、効果には限界があり永続性がない、また、同文献には、パネルプレートの裏側に微細な凹凸を設ける方法およびパネルプレートと液晶板との間に弾性体を配設する方法が開示されているが、表示の視認性を損なう原因となりコスト増にもつながる。さらに、同文献には、内部空間と外部を連通させる通気路を設ける方法が開示されているが、炊飯器の使用により内部空間の温度が高くなったときのパネルプレートでの結露を防止することはできない。
【特許文献１】特開２０００−２０１８１２号公報
【特許文献２】特開２０００−４１８３７号公報
【発明の開示】
【発明が解決しようとする課題】
【０００４】
そこで、本発明は、簡単な構造で結露を防止することができ表示部が曇らない炊飯器を提供することを課題とする。
【課題を解決するための手段】
【０００５】
本発明による炊飯器は、表示装置を備える表示部と、送風機とを有し、前記表示部
の内部空間と、前記送風機の吸気側とが連通するように通気路を設けたものとする。
【０００６】
この構成によれば、表示部の内部空間内の空気が送風機によって吸引されるため、空気の流れによって内部空間内に水蒸気が結露し難くなり、一度結露した水も再び蒸発させることができる。
【０００７】
また、本発明による炊飯器において、前記内部空間は、前記表示装置と、該表示装置の上部の透明なパネルプレートとの間に挟まれた空間であって、外装であるパネルに設けた壁部が、前記表示装置と前記パネルプレートとの隙間を埋めて前記内部空間を周囲から隔離しており、前記通気路は、前記壁部を切り欠くことにより形成されているものとしてもよい。
【０００８】
この構成によれば、機能や構造にとって重要ではない外装部品のパネルに設けた壁部によって前記内部空間を構成し、前記壁部を切り欠くことで空気の流れる通気路を設けるので設計上の制約が少なく、また、その構造は簡単である。
【０００９】
また、本発明による炊飯器において、前記送風機は、本体および／または該本体に内蔵された電気回路を空冷する冷却ファンであってもよい。
【００１０】
この構成によれば、一般に炊飯器が備えている冷却ファンを利用して前記内部空間に空気の流れを起こすことができるので、製造コストの増加を招くことなく、前記表示部の結露を防止できる。
【００１１】
また、本発明による炊飯器において、前記表示部は、前記本体に設けてもよい。
【００１２】
この構成によれば、一般に冷却ファンが設置されている本体に、前記表示装置があるので、前記冷却ファンの吸気側と前記内部空間を連通させることが容易であり、そのために製造コストを増加させることもない。
【発明の効果】
【００１３】
このように、本発明の炊飯器は、簡単な構造で結露を防止することができ、炊飯器の表示部が曇らない。
【発明を実施するための最良の形態】
【００１４】
図１は、本発明の実施形態である炊飯器１の断面を示す。炊飯器１は、有底筒状の本体２と、該本体２に枢支されて本体２の上部の開口を閉塞可能な蓋体３と、本体２に収容される鍋４とからなっている。本体２は２重構造になっており、台座となる底体５の上に本体２の外壁となる外胴６と、本体２の厚みを定めるとともにその構造を支持する肩体７と、本体２の内壁となる内胴８と、本体２の内側の底となる保護枠９とからなっている。本体２の中には、２重構造の内部を冷却するための冷却ファン１０が設置され、吸気口１１から外気を取り入れ、排気口１２から内部の熱を奪った空気を外部に排出するようになっている。そして、本体２は、機能選択や動作の状態を表示する表示部１３を有している。
【００１５】
表示部１３は、図２に示すように、外装であるパネル１４および透明なパネルプレート１５を有し、その下に表示基板１６に取り付けたスペーサ１７の上に表示装置である液晶板１８が設置され、液晶板１８が表示する内容は、前記パネルプレート１５を通して炊飯器１の外部から確認できるようになっている。パネル１４は、パネルプレート１５の湾曲した端面とパネル１４との合わせ目の下に、パネル１４と液晶板１８との間の隙間を埋める壁部１９を有している。この壁部１９と液晶板１８とパネルプレート１５とによって楔形断面の内部空間２０を構成している。しかし、図３に示すように、炊飯器１の表示部１３では、壁部１９の一部を切り欠いて通気孔２１を設けることで、内部空間２０が閉塞した空間にならないようにしている。さらに機能選択などを行うための操作ボタン２２が設けられたパネル１４の下部の空間と、外胴６と肩体７との間に設けた通気路２３を通して内部空間２０と冷却ファン１０の吸気側とが連通している。
【００１６】
また、図４に示すように、表示部１３の内部の構成は、プリント基板である表示基板１６にスペーサ１７を取り付けて、そのスペーサ１７の上に液晶板１８が取り付けられている。スペーサ１７は、その張り出した係止脚１７ａと真直ぐに垂下した係止脚１７ｂとで表示基板１６の切り欠き１５ａおよび１５ｂに係合している。さらにスペーサ１７は、安定して表示基盤１６に固定されるように、表示基板１６の表面に当接する補助脚１７ｃおよび１７ｄが設けられている。
【００１７】
従来は、表示基板１６の中央に開口を設け、該開口に真直ぐに垂下した係止脚１７ａが係止できるようにしていた。しかし、表示基板１６に開口を設けると、開口の近傍には回路を設けることができず、回路基板１６の回路配置効率が低下し表示基板が大型化していた。これは、プリント基板を切断および開口する際に機械的なひずみが加えられるので、その近傍にプリントされた回路を破損するおそれがあるためである。
【００１８】
そこで、本実施形態では、スペーサ１６のすべての係止脚１７ａおよび１７ｂが表示基板１６の外縁部に係合するように、係止脚１７ａを図の用に張り出した形状としている。表示基板１６の外縁部は、切断される部分であるために、従来から回路を配置できない場所であったため、デッドスペースをまとめることで回路配置効率を向上させている。
【００１９】
図２に示すように内部空間２０には、パネルプレート１５と肩体６との隙間ａおよびパネルプレート１５とパネル１４との隙間ｂなどから水が浸入することがある。さらに、操作ボタン２２とパネル１４との隙間ｃおよび外胴６とパネル１４との隙間ｄなどからも水が浸入し、通気孔２１を通して内部空間２０に水が浸入する可能性もある。
【００２０】
炊飯器１を使用していない状態では、内部空間２０に浸入した水の蒸発を促進させる熱が発生しないので水の蒸発量はわずかである。内部空間が通気孔２１から通気路２３さらに吸気口１１を通して外部に連通しているために、内部空間２０で気化した水蒸気は外部に放出されるのでパネルプレートの裏側に液晶板１８の表示が結露し難い。
【００２１】
炊飯器１で炊飯を行うと、炊飯のための熱により、浸入した水が活発に蒸発して、外気に接している温度の低いパネル１４およびパネルプレート１５の裏面に結露しやすくなる。炊飯を行うときには、冷却ファン１０も作動して吸気口１１から空気を取り入れる。内部空間２０は、通気路２３および通気孔２１によって冷却ファン１０の吸気側と連通しているため、図２中の矢印で示すように、内部空間２０からも空気が冷却ファン１０に吸引される。内部空間２０には、吸気口１１のように空気の取入口は設けられていないので、隙間ａや隙間ｂなどから漏れ込む量に相当するわずかな空気の流れが発生する。
【００２２】
この内部空間２０の中の空気の流れはわずかなものであるが、パネルプレート１５の裏面における水蒸気の結露を防止するには十分な効果を発揮する。また、この空気の流れは、一度結露した水を再び蒸発させる効果も有する。このように、冷却ファン１０の作動による内部空間２０の中の空気の流れは、パネルプレート１５に曇りがなく、液晶板１８の表示を視認しやすい表示部１３の状態を回復し、維持することができる。
【００２３】
以上のように、本発明によって、簡単な構造で、製造コストを増加させることなく、表示部の曇りを永続的に解消することができた。
【図面の簡単な説明】
【００２４】
【図１】本発明による炊飯器の断面図。
【図２】図１の炊飯器の詳細断面図。
【図３】図１の炊飯器の部分分解斜視図。
【図４】図１の炊飯器の液晶表示装置の斜視図。
【符号の説明】
【００２５】
１  炊飯器
２  本体
１０  冷却ファン
１３  表示部
１５  パネルプレート
１８  液晶板
１９  壁部
２０  内部空間
２１  通気孔
２３  通気路
【図１】
2005198963.tif 000003
【図２】
2005198963.tif 000004
【図３】
2005198963.tif 000005
【図４】
2005198963.tif 000006